(57)【要約】      （修正有）【課題】生産性及び美観の向上を図った化粧品サンプルシートを提供する。【解決手段】化粧料ＣＳが収容される収容部１５を有するベースシート１０と、化粧料ＣＳを取り出し可能にベースシート１０の収容部１５を覆うカバーシート３０とを備え、ベースシート１０の収容部１５には、化粧料ＣＳを保持する光硬化性樹脂による粗目状の凹凸が形成されていると共に、ベースシート１０の底面には、化粧料ＣＳを視認可能とする窓部１２が形成されている。【選択図】図１
0003206844.tif 000002
【実用新案登録請求の範囲】
【請求項１】
試供用の化粧料を取り出し可能に封入する化粧品サンプルシートであって、
前記化粧料が収容される収容部を有するベースシートと、
前記化粧料を取り出し可能に前記ベースシートの前記収容部を覆うカバーシートと
を備え、
前記ベースシートの収容部には、前記化粧料を保持する光硬化性樹脂による粗目状の凹凸が形成されていると共に、当該ベースシートの底面には、前記試供用の化粧料を視認可能とする窓部が形成されていることを特徴とする化粧品サンプルシート。
【請求項２】
前記カバーシートは、アルミニウム箔にＰＥＴシートを積層して形成されており、前記ベースシートの前記収容部に対応するアルミニウム箔は前記ＰＥＴシートに接着されているのに対し、前記ベースシートの前記収容部以外の領域に対応する他部位のアルミニウム箔は前記ベースシートに接着されており、前記カバーシートを引き剥がす際には、前記ベースシートの前記収容部に対応するアルミニウム箔が前記ＰＥＴシートと共に引き剥がされるのに対し、前記他部位のアルミニウム箔は、前記ベースシートに接着されたままの状態を維持するように、予め前記アルミニウム箔に切り込みが形成されていることを特徴とする請求項１に記載の化粧品サンプルシート。
【考案の詳細な説明】
【技術分野】
【０００１】
本考案は、化粧品用のサンプルシートに関するものであり、特に、粉状の化粧料を顧客等に試供品として提供する際に好適なサンプルシートに関するものである。
【背景技術】
【０００２】
従来、ファンデーションやアイシャドウあるいはチークカラー等の化粧料を試供品として顧客に提供するために、プラスチック製の小さなシート状の容器に化粧料を充填した種々のサンプルシートが知られている（例えば、特許文献１参照）。
【０００３】
ここで、特許文献１には、外カバー、ベースシート、内カバーが折り線を介して順次連設してなる容器本体と、該ベースシート上に載置され、サンプル用化粧料が配されたチップ状台紙を有するサンプル用化粧料充填容器であって、容器本体の内カバーには、チップ状台紙と数、形状、大きさが等しく、かつ折り線を介して内カバーを内側に折り曲げた際に、チップ状台紙が丁度内部に収まる位置に、打ち抜き窓を設けた化粧品サンプルシートが開示されている。
【先行技術文献】
【特許文献】
【０００４】
【特許文献１】特開２０００−２６２３２６号公報
【考案の概要】
【考案が解決しようとする課題】
【０００５】
しかしながら、特許文献１に開示された先行技術では、汚れとして飛散し易いサンプル用化粧料を適正に充填するための充填量の調整が難しく、また、当該サンプル用化粧料は、台紙部材や保護フィルム等によって押しつぶされ易く美観を損うと共に、サンプル用化粧料の色等が識別し難く試供品の品質低下をもたらすものであった。さらに、台紙部材は厚紙製のため高級感に欠け、特に、顧客がサンプル用化粧料を視認する窓穴側（表面側）には、サンプルシートをプレス成型する際や、輸送の際にひび割れや破損が生じ易く、歩留まりの低下を招き、生産性が著しく低下するといった問題が生じていた。
【０００６】
本考案は、上述のような従来技術の問題点に鑑みてなされたものであり、生産性及び美観の向上を図った化粧品サンプルシートを提供することを目的とする。
【課題を解決するための手段】
【０００７】
上記目的を達成するために、本考案に係る化粧品のサンプルシートは、試供用の化粧料を取り出し可能に封入する化粧品サンプルシートであって、前記化粧料が収容される収容部を有するベースシートと、前記化粧料を取り出し可能に前記ベースシートの前記収容部を覆うカバーシートとを備え、前記ベースシートの収容部には、前記化粧料を保持する光硬化性樹脂による粗目状の凹凸が形成されていると共に、当該ベースシートの底面には、前記試供用の化粧料を視認可能とする窓部が形成されていることを特徴とするものである。
【０００８】
このように構成した場合には、簡易な構成にて安価に充填時における美観の向上と生産性の大幅な向上とを同時に達成することができる。
【０００９】
また、前記カバーシートは、アルミニウム箔にＰＥＴシートを積層して形成されており、前記ベースシートの前記収容部に対応するアルミニウム箔は前記ＰＥＴシートに接着されているのに対し、前記ベースシートの前記収容部以外の領域に対応する他部位のアルミニウム箔は前記ベースシートに接着されており、前記カバーシートを引き剥がす際には、前記ベースシートの前記収容部に対応するアルミニウム箔が前記ＰＥＴシートと共に引き剥がされるのに対し、前記他部位のアルミニウム箔は、前記ベースシートに接着されたままの状態を維持するように、予め前記アルミニウム箔に切り込みが形成されていてもよい。
【００１０】
このように構成した場合には、充填時のみならず、使用時における美観の向上をも併せて達成することができる。
【考案の効果】
【００１１】
本考案によれば、生産性及び美観の向上を図った化粧品サンプルシートを簡易な構成で安価に実現することができる。
【図面の簡単な説明】
【００１２】
【図１】本考案に係る化粧品サンプルシートを示す模式図であり、（ａ）は平面図、（ｂ）は底面図である。
【図２】本考案の化粧品サンプルシートに係るベースシートを示す模式図であり、（ａ）は窓部側から見た平面図（底面図）であり、（ｂ）は窓部と反対側から見た平面図である。
【図３】本考案の化粧品サンプルシートに係るカバーシートを示す模式図であり、（ａ）はシール面側から見た平面図であり、（ｂ）はシール面と反対側から見た平面図である。
【図４】本考案の化粧品サンプルシートに係るベースシートの構成を示す模式図である。
【図５】本考案の化粧品サンプルシートに係るカバーシートの構成を示す模式図である。
【００１３】
【考案を実施するための形態】
【００１４】
以下、本考案の一実施の形態について、図１〜図５を参照して説明する。本考案に係る化粧品サンプルシートは、試供品として顧客等に提供される化粧料（以下、サンプル用化粧料とも称する）を対向配置された一対のシート状部材より取り出し可能に収容（封入）するものであり、美観の向上及び生産性の向上を同時に達成するものである。
【００１５】
図１に模式的に示すように、本実施の形態に係る化粧品サンプルシート１は、ファンデーション、アイシャドウ、チークカラー等のサンプル用化粧料ＣＳを収容する収容部１５を有するベースシート１０と、該収容部１５に貼着された蓋部としてのカバーシート３０とを備えており、当該カバーシート３０を剥がすことにより、上記サンプル用化粧料ＣＳを使用可能とすると共に、カバーシート３０と反対側のベースシート１０の底面に設けられた透明な窓部１２より、収容されたサンプル用化粧料ＣＳが視認できるようになっている。
【００１６】
上記ベースシート１０は、図２（ａ）に模式的に示すように、略方形状のＰＥＴ（ポリエチレンテレフタレート）等の樹脂シートにて形成されており、底面側の略中央には、円形状の窓部１２が形成されている。一方、図２（ｂ）に模式的に示すように、反対側（カバーシート３０側）には、窓部１２の径よりも若干大きい径の同心円状に形成された円形状の収容部１５が形成されている。なお、符号１５０は、収容部１５の領域を画形する境界部である。
【００１７】
図４（ａ）に最も良く示されるように、ベースシート１０は階層的に構成されており、基材として、例えば、厚さ２５０μｍ程度の透明なＰＥＴシート１００を用いている。そして、その表面側（カバーシート３０側）は、窓部１２以外の部位が有色（例えば、黒色）に印刷されている。なお、印刷方式としては、オフセット印刷やシルクスクリーン印刷等を適宜用いることができる。また、符号１１０は、インク層（印刷層）であり、符号１２０はインク層の光沢を得るためのニス層である。
【００１８】
さらに、ベースシート１０の最表面側（カバーシート３０側）には、窓部１２の径よりも大きい径の同心円環状に、境界部１５０が形成されている（図２（ｂ）参照）。
【００１９】
上記境界部１５０は、点字等で用いられる点字印刷（例えば、紫外線硬化性樹脂を用いたスクリーン印刷にて立体的に盛り上げる印刷方式）にて形成することができる。
【００２０】
そして、この点字印刷にて形成された境界部１５０の内側が皿状の収容部１５として形成されている。これにより、充填の際に飛散しやすいサンプル用化粧料ＣＳが境界部１５０を超えて外側に流れ出すことを未然に防止している。
【００２１】
さらに、本実施の形態において、収容部１５の底面は、微細な凹凸状（粗目状）に形成されており、かかる粗目状の凹凸１７０にサンプル用化粧料ＣＳが保持されるようになっている。なお、上記収容部１５の凹凸状の粗目１７０は、光硬化性樹脂にビーズ状の粉末（１５〜５０μｍ）を混合させた塗料を塗布し、例えば、紫外線を照射して乾燥させることにより形成することができる。
【００２２】
一方、カバーシート３０は、図３に模式的に示すように、ベースシート１０の収容部１５を被覆可能な大きさであって、ベースシート１０よりも小さい略方形状に形成されている。さらに、その一辺に剥がし口である舌状つまみ片３５を有し、その表面がベースシート１０と同色（例えば、黒色）に印刷されている。
【００２３】
図４（ｂ）に最も良く示されるように、カバーシート３０は階層的に構成されており、基材として薄い（例えば、１０μｍ）アルミ箔３００を用いている。これにより、対向するベースシート１０の外表面に倣うように、当該ベースシート１０に接着可能とすると共に、収容部１５に充填する際に飛散し易いサンプル用化粧料ＣＳの汚れを覆い、美観を損なうことなく充填作業の生産性、作業性の大幅な向上を実現することができる。
【００２４】
また、本実施の形態において、上記アルミ箔３００の収容部１５に対応する領域３００ａが抜き加工されている（収容部１５に対応する領域３００ａのアルミ箔３００のみが剥離可能なように境界部に切り込みが入れられている）。
【００２５】
さらに、アルミ箔３００の表面側（図４（ｂ）において下側）には、ベースシート１０と同色（例えば、黒色）なインク層（印刷層）３１０が積層されており、さらに、最表面側には、薄い（例えば、５０μｍ）ＰＥＴシート３２０が貼り付けられている。
【００２６】
なお、本実施の形態に係るアルミ箔３００のベースシート１０との対向面において、切り込み加工された領域３００ａには粘着剤が塗布されておらず、領域３００ａを除いた領域３００ｂのみにベースシート１０との接着を可能とする粘着剤が塗布されている。
【００２７】
一方、アルミ箔３００のベースシート１０と反対面（上記対向面と反対側の面）には、切り込み加工された領域３００ａのみにＰＥＴシート３２０との接着を可能とする粘着剤が塗布されており、領域３００ｂには粘着剤が塗布されていない。
【００２８】
このように構成したカバーシート３０においては、顧客等が舌状つまみ片３５をつまんでＰＥＴシート３２０を引き剥がすと、当該ＰＥＴシート３２０と共に、収容部１５に対応する領域３００ａのアルミ箔３００のみが引き剥がされ、使用時における美観を損なうことがない。すなわち、アルミ箔３００全体（領域３００ａ＋領域３００ｂ）を引き剥がす構成とすると、アルミ箔３００を引き剥がした際に、サンプル用化粧料ＣＳを充填した際の汚れが露出するのに対し、ＰＥＴシート３２０と一緒に、切り込み加工された領域３００ａのアルミ箔３００のみが引き剥がされる構成としたことにより、充填時の汚れをアルミ箔３００ｂにより覆った状態（アルミ箔３００がベースシート１０に接着されたままの状態）で、サンプル用化粧料ＣＳを使用することができ、使用時の美観を損なうことがない。
【００２９】
以上説明したように、本考案に係るサンプルシート１によれば、従来、ひび割れ等の発生が生じやすい表面側の化粧料をカバーシート３０にて覆うと共に、カバーシート３０と反対側のベースシート１０側に視認用の窓部１２を設けたことにより、充填時における美観の向上と生産性の大幅な向上とを同時に達成することができる。
【００３０】
また、収容部１５に対応するアルミニウム箔３００ａのみをＰＥＴシート３２０と共に、引き剥がし可能に形成することにより、充填時のみならず、使用時における美観の向上を達成することができる。
【００３１】
なお、本考案の技術的範囲は上述した実施の形態に限定されるものではなく、本考案の要旨に逸脱しない範囲において多様な変更もしくは改良を加え得るものである。例えば、上述した実施の形態では、単一の収容部１５を有する化粧品サンプルシートを例示したが、例えば、収容部１５を複数個（例えば、３個）横一列に配列した形態等、任意の個数、配置の形態に適用することができる。
【符号の説明】
【００３２】
１      サンプルシート
１０    ベースシート
１２    窓部
１５    収容部
３０    カバーシート
３５    舌状つまみ片
１００  ＰＥＴシート
１１０  インク層
１２０  ニス層
１５０  境界部
１７０  粗目状の凹凸
３００  アルミ箔
３００ａ、３００ｂ  領域
３２０  ＰＥＴシート
ＣＳ    サンプル用化粧料
【図１】
0003206844.tif 000003
【図２】
0003206844.tif 000004
【図３】
0003206844.tif 000005
【図４】
0003206844.tif 000006
【手続補正書】
【提出日】平成28年8月23日(2016.8.23)
【手続補正２】
【補正対象書類名】明細書
【補正対象項目名】００１２
【補正方法】変更
【補正の内容】
【００１２】
【図１】本考案に係る化粧品サンプルシートを示す模式図であり、（ａ）は平面図、（ｂ）は底面図である。
【図２】本考案の化粧品サンプルシートに係るベースシートを示す模式図であり、（ａ）は窓部側から見た平面図（底面図）であり、（ｂ）は窓部と反対側から見た平面図である。
【図３】本考案の化粧品サンプルシートに係るカバーシートを示す模式図であり、（ａ）はシール面側から見た平面図であり、（ｂ）はシール面と反対側から見た平面図である。
【図４】本考案の化粧品サンプルシートに係るベースシートの構成を示す模式図である。
【手続補正３】
【補正対象書類名】明細書
【補正対象項目名】００１４
【補正方法】変更
【補正の内容】
【００１４】
以下、本考案の一実施の形態について、図１〜図４を参照して説明する。本考案に係る化粧品サンプルシートは、試供品として顧客等に提供される化粧料（以下、サンプル用化粧料とも称する）を対向配置された一対のシート状部材より取り出し可能に収容（封入）するものであり、美観の向上及び生産性の向上を同時に達成するものである。